(57)【要約】【課題】静翼を支持するダイアフラム外輪を介してケーシングに熱が伝わるのを抑制し、ケーシングの温度上昇を抑えることができる蒸気タービンを提供する。【解決手段】実施形態の蒸気タービン１０は、内部ケーシング２０の内部に、ダイアフラム内輪２７、ダイアフラム外輪２５、およびダイアフラム内輪２７とダイアフラム外輪２５との間に支持された静翼２６を備える。そして、ダイアフラム外輪２５と内部ケーシング２０との接触面間に、熱伝導率が１０Ｗ／ｍ・Ｋ以下の断熱部材５０を備える。【選択図】図２
2014001685.tif 000002
【特許請求の範囲】
【請求項１】
ケーシングの内部に、ダイアフラム内輪、ダイアフラム外輪、および前記ダイアフラム内輪と前記ダイアフラム外輪との間に支持された静翼を備える蒸気タービンであって、
前記ダイアフラム外輪と前記ケーシングとの接触面間に、熱伝導率が１０Ｗ／ｍ・Ｋ以下の断熱部材を備えたことを特徴とする蒸気タービン。
【請求項２】
前記ケーシングの内周面から半径方向内側に向かって突出され、かつ周方向に形成された突条部の上流側の端面と、当該端面よりも上流側に配置された前記ダイアフラム外輪の下流側の端面との間に前記断熱部材が介在していることを特徴とする請求項１記載の蒸気タービン。
【請求項３】
前記断熱部材が、前記ダイアフラム外輪と接触する前記ケーシングの接触面、および前記ケーシングとの接触面と接触する前記ダイアフラム外輪の接触面の少なくとも一方に設けられていることを特徴とする請求項１または２記載の蒸気タービン。
【請求項４】
前記断熱部材が、断熱層で構成されていることを特徴とする請求項１乃至３のいずれか１項記載の蒸気タービン。
【請求項５】
前記断熱部材が、金属板および前記金属板の少なくとも一方の表面に形成された断熱層で構成されていることを特徴とする請求項１乃至３のいずれか１項記載の蒸気タービン。
【請求項６】
前記金属板が、前記ダイアフラム外輪と前記ケーシングとの接触面に沿って周方向に延びるリング状の平板で構成されていることを特徴とする請求項５記載の蒸気タービン。
【請求項７】
前記断熱層が、金属酸化物で構成されていることを特徴とする請求項４乃至６のいずれか１項記載の蒸気タービン。
【請求項８】
前記断熱層が、金属酸化物からなる粒子を含有する金属で構成されていることを特徴とする請求項４乃至６のいずれか１項記載の蒸気タービン。
【請求項９】
前記断熱層の表面に、耐摩耗層が形成されていることを特徴とする請求項４乃至８のいずれか１項記載の蒸気タービン。
【請求項１０】
前記耐摩耗層の硬さが、ビッカース硬さで２００ＨＶ以上であることを特徴とする請求項９記載の蒸気タービン。
【請求項１１】
ケーシングの内部に、ダイアフラム内輪、ダイアフラム外輪および前記ダイアフラム内輪と前記ダイアフラム外輪との間に支持された静翼を備える蒸気タービンであって、
前記ダイアフラム外輪と前記ケーシングとの接触面において、少なくとも一方の接触面が凹凸構造で構成されていることを特徴とする蒸気タービン。
【請求項１２】
前記ケーシングの内周面から半径方向内側に向かって突出され、かつ周方向に形成された突条部の上流側の端面、および前記端面に接触し、前記端面よりも上流側に配置された前記ダイアフラム外輪の下流側の端面の少なくとも一方が前記凹凸構造で構成されていることを特徴とする請求項１１記載の蒸気タービン。
【請求項１３】
前記凹凸構造の凹部に、熱伝導率が１０Ｗ／ｍ・Ｋ以下の断熱充填材が充填されていることを特徴とする請求項１２記載の蒸気タービン。
【請求項１４】
前記断熱充填材が、金属酸化物で構成されていることを特徴とする請求項１３記載の蒸気タービン。
【請求項１５】
前記断熱充填材が、金属酸化物からなる粒子を含有する金属で構成されていることを特徴とする請求項１３記載の蒸気タービン。
【発明の詳細な説明】
【技術分野】
【０００１】
本発明の実施形態は、蒸気タービンに関する。
【背景技術】
【０００２】
従来の火力発電設備における蒸気タービンにおいて、タービンロータや動翼などの高温部品が曝される蒸気温度は、６００℃以下である。そのため、これらの高温部品は、経済性や製造性を考慮して、フェライト系耐熱鋼で構成されている。
【０００３】
しかしながら、環境保全を背景とした火力発電設備の高効率化のために、蒸気タービンに導入する蒸気の温度を上昇する傾向にある。近年では、蒸気温度が６００℃程度の高温蒸気を利用した蒸気タービンが運転されている。そのため、このような蒸気タービンにおいて、高温部品をフェライト系耐熱鋼で構成することは、高温強度が問題となる。そこで、高温部品をＮｉ基合金やオーステナイト系耐熱鋼で構成した蒸気タービンも存在する。
【０００４】
そのようななか、火力発電設備の高効率化を図るために、蒸気の温度をさらに上昇させることが検討され、一方で、経済性や製造性などの観点から、Ｎｉ基合金やオーステナイト系耐熱鋼で構成される部分を極力削減するための検討もなされている。
【先行技術文献】
【特許文献】
【０００５】
【特許文献１】特開２０００−２８２８０８号公報
【特許文献２】特開平１１−２００８０１号公報
【発明の概要】
【発明が解決しようとする課題】
【０００６】
蒸気タービンを構成する部品のなかでも、ケーシングは、大型の鋳造部品であることから、ケーシングの低コスト化を図ることは、蒸気タービンの製造コストの削減に繋がる。しかしながら、例えば、二重ケーシング構造を有する場合、内周側となる内部ケーシングには、静翼を固定しているダイアフラム外輪を介して、蒸気通路を流れる高温の主蒸気からの熱が伝わる。これにより、内部ケーシングは、高温となるため、内部ケーシングを安価なフェライト系耐熱鋼で構成することは困難となる。
【０００７】
本発明が解決しようとする課題は、静翼を支持するダイアフラム外輪を介してケーシングに熱が伝わるのを抑制し、ケーシングの温度上昇を抑えることができる蒸気タービンを提供することにある。
【課題を解決するための手段】
【０００８】
実施形態の蒸気タービンは、ケーシングの内部に、ダイアフラム内輪、ダイアフラム外輪、および前記ダイアフラム内輪と前記ダイアフラム外輪との間に支持された静翼を備える。そして、前記ダイアフラム外輪と前記ケーシングとの接触面間に、熱伝導率が１０Ｗ／ｍ・Ｋ以下の断熱部材が備えられている。
【図面の簡単な説明】
【０００９】
【図１】第１の実施の形態の蒸気タービンの子午断面を示す図である。
【図２】第１の実施の形態の蒸気タービンにおける、ダイアフラム外輪と内部ケーシングの一部の断面を拡大して示した図である。
【図３】第２の実施の形態の蒸気タービンの断熱部材をタービンロータ軸方向に見たときの平面図である。
【図４】第２の実施の形態の蒸気タービンにおいて、他の構成の断熱部材を備えたときの、ダイアフラム外輪と内部ケーシングの一部の断面を拡大して示した図である。
【図５】第３の実施の形態の蒸気タービンにおける、ダイアフラム外輪と内部ケーシングの一部の断面を拡大して示した図である。
【図６】第４の実施の形態の蒸気タービンにおける、ダイアフラム外輪と内部ケーシングの一部の断面を拡大して示した図である。
【図７】第４の実施の形態の蒸気タービンのダイアフラム外輪に形成された凹凸構造を説明するための、図６のＡ−Ａ断面を示す図である。
【図８】第４の実施の形態の蒸気タービンのダイアフラム外輪に形成された他の構成の凹凸構造を説明するための、図６のＡ−Ａ断面を示す図である。
【図９】第４の実施の形態の蒸気タービンのダイアフラム外輪に形成された他の構成の凹凸構造を説明するための、図６のＡ−Ａ断面を示す図である。
【発明を実施するための形態】
【００１０】
以下、本発明の実施の形態について図面を参照して説明する。
【００１１】
（第１の実施の形態）
図１は、第１の実施の形態の蒸気タービン１０の子午断面を示す図である。なお、以下の実施の形態において、同一の構成部分には同一の符号を付して、重複する説明は、省略または簡略する。
【００１２】
図１に示すように、蒸気タービン１０は、内部ケーシング２０とその外側に設けられた外部ケーシング２１とから構成される二重構造のケーシングを備えている。また、内部ケーシング２０内に動翼２２が植設されたタービンロータ２３が貫設されている。動翼２２は、タービンロータ２３のロータディスク２３ａの周方向に複数植設され、動翼翼列を構成している。この動翼翼列は、タービンロータ軸方向に複数段形成されている。タービンロータ２３は、ロータ軸受２４によって回転可能に支持されている。
【００１３】
内部ケーシング２０の内周には、ダイアフラム外輪２５が設けられ、静翼２６の外周部を支持している。ダイアフラム外輪２５と内部ケーシング２０との接触面間には、後に詳しく説明するが、断熱部材５０が設けられている。
【００１４】
静翼２６の内周部は、ダイアフラム内輪２７によって支持されている。このように、ダイアフラム外輪２５とダイアフラム内輪２７との間に、周方向に亘って複数の静翼２６が支持され、静翼翼列を構成している。この静翼翼列は、タービンロータ軸方向に間隔をあけて複数段形成され、各静翼翼列は、各動翼翼列の上流側に配置される。すなわち静翼翼列と動翼翼列は、タービンロータ軸方向に交互に複数段配設され、一組の静翼翼列と動翼翼列から構成されるタービン段落が複数形成されている。
【００１５】
タービンロータ２３と各ケーシングとの間には、蒸気の外部への漏洩を防止するために、グランドラビリンス部３３が設けられている。
【００１６】
内部ケーシング２０とタービンロータ２３との間には、ノズルボックス２８が設けられている。このノズルボックス２８は、外部ケーシング２１と内部ケーシング２０を貫通すように設けられたスリーブ管２９を介して主蒸気管３４と連通されている。ノズルボックス２８の出口には、第１段の静翼２６を備える。ノズルボックス２８へ供給された蒸気は、この第１段の静翼２６を通過して第１段の動翼２２へ導かれる。
【００１７】
また、蒸気タービン１０は、最終段の動翼２２を通過した蒸気を内部ケーシング２０内から蒸気タービン１０の外部に導く排気流路３０を備えている。
【００１８】
次に、ダイアフラム外輪２５と内部ケーシング２０との接触面の構成について説明する。図２は、第１の実施の形態の蒸気タービン１０における、ダイアフラム外輪２５と内部ケーシング２０の一部の断面を拡大して示した図である。
【００１９】
また、図２に示すように、内部ケーシング２０の内周面には、半径方向内側（タービンロータ２３側）に向かって突出し、かつ周方向に延びる突条部３１が形成されている。この突条部３１は、各タービン段落に対応して、タービンロータ軸方向に複数形成されている。この突条部３１間の溝部に、ダイアフラム外輪２５の一部である、半径方向外側に突出した突出部４０が位置する。そして、突条部３１の上流側の端面３２に、この端面３２よりも上流側に配置されたダイアフラム外輪２５の突出部４０の下流側の端面４１が、断熱部材５０を介して接触している。このように接触することで、ダイアフラム外輪２５のタービンロータ軸方向の下流側への移動が防止される。
【００２０】
断熱部材５０は、熱伝導率が１０Ｗ／ｍ・Ｋ以下となるように構成されている。ここで、ダイアフラム外輪２５や内部ケーシング２０を構成する金属材料の熱伝導率は、例えば、２０〜３０Ｗ／ｍ・Ｋである。そのため、断熱部材５０の熱伝導率は、ダイアフラム外輪２５や内部ケーシング２０を構成する金属材料の熱伝導率よりも小さい。
【００２１】
断熱部材５０の熱伝導率は、例えば、レーザ加熱時の過渡応答から熱伝導率を求めるレーザフラッシュ法や、熱線による加熱時の温度応答に基づいて熱伝導率を求める熱線法、温度勾配を付与して定常時の熱流束から熱伝導率を求める定常法などによって測定される。
【００２２】
断熱部材５０は、例えば、ダイアフラム外輪２５の突出部４０の下流側の端面４１または突条部３１の上流側の端面３２に断熱層５１を形成することで構成される。例えば、端面４１に断熱層５１を形成する場合、断熱層５１は、端面４１のうち、端面３２に接触する部分に形成される。なお、断熱層５１は、端面４１および端面３２の双方に形成されてもよい。
【００２３】
断熱層５１は、例えば、ジルコニア（ＺｒＯ２）、ハフニア（ＨｆＯ２）、セリア（ＣｅＯ２）、チタニア（ＴｉＯ２）、アルミナ（Ａｌ２Ｏ３）、マグネシア（ＭｇＯ）、希土類ジルコネート（Ｘ２Ｚｒ２Ｏ７、ＸはＳｃ、Ｙ、Ｌａ、Ｃｅ、Ｐｒ、Ｎｄなどの希土類元素）などの金属酸化物で構成される。
【００２４】
上記した断熱層５１を構成する金属酸化物のうち、希土類ジルコネートやハフニアは、熱伝導率が低く、熱膨張係数が比較的大きいことから、金属材料の表面に形成される断熱層５１を構成する材料として好適である。なお、端面４１または端面３２と、断熱層５１との間に、これらを構成する材料の中間的な熱膨張係数を有する、ニッケル鋼やクロムニッケル鋼、ＮｉＡｌのような金属間化合物などによる中間層を設けてもよい。これにより、断熱層５１の熱応力が緩和される。
【００２５】
断熱層５１は、蒸気タービン１０の運転の際、ダイアフラム外輪２５と内部ケーシング２０との間で、圧縮応力を受けるため、高い圧縮強度を有することが好ましい。さらに、水蒸気に曝されることから、水蒸気に対する耐性にも優れていることが好ましい。これらの観点からは、例えば、上記した金属酸化物のうち、ジルコニア（ＺｒＯ２）やハフニア（ＨｆＯ２）などを使用することが好適である。
【００２６】
アルミナ（Ａｌ２Ｏ３）やマグネシア（ＭｇＯ）などの金属酸化物を使用する場合においては、圧縮強度を損なわない程度に気孔を存在させることで、熱伝導率を低減することが可能である。
【００２７】
断熱層５１の形成方法は、特に限定されるものではないが、例えば、大気プラズマ溶射などの溶射、物理蒸着、化学蒸着、拡散浸透法などによって形成される。また、断熱層５１は、上記した金属酸化物材料の粒子を含むスラリーを端面４１または端面３２に塗布し、その後焼成することによって形成されてもよい。
【００２８】
断熱層５１の厚さは、断熱効果を得るために、例えば、０．５〜３ｍｍ程度に形成されることが好ましい。
【００２９】
次に、蒸気タービン１０における、ダイアフラム外輪２５と内部ケーシング２０との間の熱移動について、図１および図２を参照して説明する。
【００３０】
主蒸気管３４から蒸気タービン１０内に導入された蒸気は、スリーブ管２９を通りノズルボックス２８に導かれる。ノズルボックス２８に導かれた蒸気は、静翼２６と動翼２２との間の蒸気通路を膨張仕事をしながら流動し、タービンロータ２３を回転させる。そして、最終段の動翼２２を通過した蒸気は、排気流路３０を通り蒸気タービン１０の外部へ排気される。ここで、蒸気タービン１０の運転時、ダイアフラム外輪２５は、その直下流側の内部ケーシング２０の突条部３１に押し付けられる。
【００３１】
静翼２６を支持するダイアフラム外輪２５やダイアフラム内輪２７は、蒸気通路を流れる高温の主蒸気によって加熱される。この際、ダイアフラム外輪２５に接触する内部ケーシング２０へ熱伝導による熱移動が生じるが、これらの間には、断熱部材５０（断熱層５１）を有しているため、熱移動が抑制される。
【００３２】
これによって、内部ケーシング２０の温度上昇を抑制することができる。そのため、蒸気タービン１０へ導入される蒸気の温度が高温化された場合においても、内部ケーシング２０を従来と同様の材料で構成することができる。
【００３３】
第１の実施の形態の蒸気タービン１０によれば、ダイアフラム外輪２５と内部ケーシング２０との接触面間に断熱部材５０を備えることで、ダイアフラム外輪２５から内部ケーシング２０へ向かう熱移動を抑制することができる。そのため、内部ケーシング２０の温度上昇を抑えることができる。
【００３４】
ここでは、断熱層５１を金属酸化物で構成する一例を示したが、これに限られるものではない。例えば、金属酸化物からなる粒子を含有する金属で断熱層５１を構成してもよい。具体的には、断熱層５１は、金属からなる金属マトリックス、およびこの金属マトリックス中に均一に分散された金属酸化物からなる粒子で構成される。
【００３５】
金属マトリックスを構成する金属としては、例えば、鉄、クロム、ニッケル、コバルトやこれらを主成分とする合金などを使用することができる。粒子を構成する金属酸化物としては、例えば、断熱層５１を構成する材料と同様に、例えば、ジルコニア（ＺｒＯ２）、ハフニア（ＨｆＯ２）、セリア（ＣｅＯ２）、チタニア（ＴｉＯ２）、アルミナ（Ａｌ２Ｏ３）、マグネシア（ＭｇＯ）、希土類ジルコネート（Ｘ２Ｚｒ２Ｏ７、ＸはＳｃ、Ｙ、Ｌａ、Ｃｅ、Ｐｒ、Ｎｄなどの希土類元素）などを使用することができる。
【００３６】
断熱層５１は、熱伝導率が１０Ｗ／ｍ・Ｋ以下となるように構成されるため、酸化物粒子の含有量は、使用する金属マトリックスおよび粒子の材料によって適宜設定される。例えば、金属マトリックスの材料としてクロムを含有する鉄を使用し、粒子の材料としてジルコニア（ＺｒＯ２）などのジルコニウム酸化物を使用する場合には、粒子の含有量を２５〜７５体積％程度にすることが好ましい。また、金属マトリックスの材料としてニッケル、もしくはニッケルを含有する鉄を使用し、粒子の材料としてジルコニア（ＺｒＯ２）などのジルコニウム酸化物を使用する場合には、粒子の含有量を１５〜５０体積％程度にすることが好ましい。
【００３７】
上記した粒子を含有する金属マトリックスからなる断熱層５１は、ダイアフラム外輪２５の突出部４０の下流側の端面４１や突条部３１の上流側の端面３２に、例えば次のように形成される。断熱層５１は、例えば、金属マトリックスを構成する金属材料と酸化物粒子との混合粉末を用いたプラズマ溶射法によって形成される。また、断熱層５１は、例えば、酸化物粒子を含むめっき浴中でめっき施工を行う複合めっき法、または酸化物粒子を含む塗料をスプレーや刷毛によって塗布し、乾燥・焼成する塗布法などによって形成される。
【００３８】
ここで、ダイアフラム外輪２５が内部ケーシング２０に接触する際、接触面に不均一な圧力がかかることがある。すなわち、ダイアフラム外輪２５が内部ケーシング２０に対して片当たりの状態となることもある。この場合、局所的な応力の発生が問題となる。
【００３９】
しかしながら、断熱層５１においては、金属マトリックスが柔軟に変形して応力を吸収し、応力の集中を緩和する。さらに、金属酸化物からなる粒子を含有することによって、粒子と金属マトリックスとの界面が熱抵抗になり、熱伝導率を低減する。そのため、ダイアフラム外輪２５から内部ケーシング２０へ向かう熱移動を抑制することができる。
【００４０】
（第２の実施の形態）
第２の実施の形態の蒸気タービン１１の構成は、第１の実施の形態の蒸気タービン１０の構成と、断熱部材５０の構成以外は同じである。そのため、ここでは、断熱部材５０の構成について主に説明する。
【００４１】
図３は、第２の実施の形態の蒸気タービン１０の断熱部材５０をタービンロータ軸方向に見たときの平面図である。
【００４２】
図３に示すように、断熱部材５０は、ダイアフラム外輪２５と内部ケーシング２０との接触面に沿って周方向に延びるリング状の平板部材で構成される。なお、断熱部材５０を構成する材料は、第１の実施の形態における断熱部材５０（断熱層５１）を構成する材料と同じである。すなわち、第２の実施の形態に係る断熱部材５０は、金属酸化物や金属酸化物の粒子を含有する金属マトリックスで構成される。また、断熱部材５０は、熱伝導率が１０Ｗ／ｍ・Ｋ以下となるように構成されている。
【００４３】
リング状の断熱部材５０は、例えば、図３に示すように、上半部および下半部の２分割構造で構成される。なお、分割数は、これに限られるものではなく、上半部および下半部において、それぞれさらに分割した構成としてもよい。
【００４４】
断熱部材５０は、上半部および下半部の接合端部に、例えば、半径方向外側に突出するフランジ部６０を備えている。このフランジ部６０を備えることで、例えば、ボルト締結などによって、下半部の断熱部材５０が、例えば内部ケーシング２０に固定され、上半部の断熱部材５０が、下半部の断熱部材５０上に固定される。
【００４５】
ここで、リング状の断熱部材５０は、ダイアフラム外輪２５の突出部４０の下流側の端面４１と、このダイアフラム外輪２５の直下流側に位置する突条部３１の上流側の端面３２との間に挟持される。なお、リング状の断熱部材５０を備えたときの、ダイアフラム外輪２５と内部ケーシング２０の断面形状は、図２に示された断面形状と同様となる。
【００４６】
第２の実施の形態の蒸気タービン１１によれば、ダイアフラム外輪２５の突出部４０の下流側の端面４１および突条部３１の上流側の端面３２のそれぞれが、リング状の断熱部材５０に接触する構成とすることで、接触界面を増やすことができる。これによって、熱抵抗が増加され、ダイアフラム外輪２５から内部ケーシング２０へ向かう熱移動を抑制することができる。また、第１の実施の形態と同様に、断熱部材５０によっても、ダイアフラム外輪２５から内部ケーシング２０へ向かう熱移動が抑制される。そのため、内部ケーシング２０の温度上昇を抑えることができる。
【００４７】
ここで、リング状の断熱部材５０の構成は、上記した構成に限られるものではない。図４は、第２の実施の形態の蒸気タービン１０において、他の構成の断熱部材５０を備えたときの、ダイアフラム外輪２５と内部ケーシング２０の一部の断面を拡大して示した図である。
【００４８】
図４に示すように、リング状の金属板５２と、この金属板５２の両表面に形成された断熱層５３とによってリング状の断熱部材５０を構成してもよい。
【００４９】
金属板５２は、例えば、ダイアフラム外輪や内部ケーシングと同様に、高クロム鋼、ニッケルクロム鋼、ニッケル合金などの金属部材で構成される。また、金属板５２は、図３に示した断熱部材５０と同様に、上半部および下半部の２分割構造で構成される。なお、分割数は、これに限られるものではなく、上半部および下半部において、それぞれさらに分割した構成としてもよい。
【００５０】
断熱層５３は、第１の実施の形態における断熱部材５０（断熱層５１）を構成する材料と同じ材料で構成される。断熱層５３の形成方法は、第１の実施の形態における断熱層５１の形成方法と同じである。
【００５１】
なお、ここでは、リング状の金属板５２の両表面に断熱層５３を形成した一例を示しているが、断熱層５３は、金属板５２の少なくとも一方の表面に形成されていればよい。すなわち、リング状の金属板５２と、この金属板５２の一方の表面に形成された断熱層５３とによってリング状の断熱部材５０を構成してもよい。
【００５２】
リング状の金属板５２の少なくとも一方の表面に断熱層５３を備える構成のリング状の断熱部材５０においても、熱伝導率が１０Ｗ／ｍ・Ｋ以下となるように構成されている。
【００５３】
この構成を備えるリング状の断熱部材５０においても、接触界面を増やすことができるため、熱抵抗が増加され、ダイアフラム外輪２５から内部ケーシング２０へ向かう熱移動を抑制することができる。また、第１の実施の形態と同様に、断熱層５３によっても、ダイアフラム外輪２５から内部ケーシング２０へ向かう熱移動が抑制される。
【００５４】
（第３の実施の形態）
図５は、第３の実施の形態の蒸気タービン１２における、ダイアフラム外輪２５と内部ケーシング２０の一部の断面を拡大して示した図である。
【００５５】
図５に示すように、第３の実施の形態における断熱部材５０は、第１の実施の形態の断熱層５１の表面に耐摩耗層７０を備えた構成となっている。なお、図示しないが、耐摩耗層７０は、第２の実施の形態における、ダイアフラム外輪２５の突出部４０や内部ケーシング２０の突条部３１に接触する、断熱層５３の表面に形成されてもよい。すなわち、耐摩耗層７０は、ダイアフラム外輪２５の突出部４０の下流側の端面４１または突条部３１の上流側の端面３２に接触する断熱層５１、５３の表面に形成される。
【００５６】
耐摩耗層７０を構成する材料としては、例えば、金属素地にＷＣやＣｒＣなどの化合物を含有した材料などを使用することが好ましい。また、耐摩耗層７０を構成する材料としては、窒化処理やホウ化処理などを施して、金属の内部へ窒素やホウ素を拡散させて硬質な化合物を形成した材料などを使用することが好ましい。
【００５７】
金属素地にＷＣやＣｒＣなどの化合物を含有した材料としては、例えば、サーメット（ＷＣ−Ｘ、ＣｒＣ−Ｘ、Ｘは金属元素でＮｉやＣｏなどを主成分とするものが好適）などを使用することができる。窒化処理やホウ化処理などを施して、金属の内部へ窒素やホウ素を拡散させて硬質な化合物を形成した材料としては、例えば、窒化物（ＴｉＮ，ＡｌＮ、Ｆｅ２−３Ｎ）、ホウ化物（ＦｅＢ、Ｆｅ２Ｂ）などを使用することができる。また、これら以外にも、例えば、クロミア（Ｃｒ２Ｏ３）、ダイアモンドライクカーボンなどを使用することができる。
【００５８】
なお、窒化処理は、アンモニアまたは窒素を含んだ雰囲気中に暴露し、表面に窒素を浸透させて硬化させる方法である。ホウ化処理は、ホウ素を侵入拡散させてホウ化層を生成する方法である。
【００５９】
耐摩耗層７０は、溶射、物理蒸着、化学蒸着、窒化処理、ホウ化処理などによって形成される。ここで、耐摩耗層７０の形成方法について、具体的に例示する。
【００６０】
例えば、サーメットなどの耐磨耗材料を使用する場合、断熱層５１を形成後、断熱層５１の表面に、耐磨耗材料を溶射施工する。この際、耐磨耗材料は、例えば、高速火炎溶射されることが好適である。また、耐磨耗材料を溶射施工する前に、断熱層５１の表面をブラスト処理して、耐磨耗材料の機械的な密着性を向上させてもよい。
【００６１】
さらに、断熱層５１と耐摩耗層７０との間に、これらを構成する材料の中間的な熱膨張係数を有する、ＭＣｒＡｌＹ合金（ＭはＮｉ、Ｃｏ、Ｆｅなどを主成分とする金属元素）などによる中間層を設けてもよい。これにより、断熱層５１の熱応力が緩和される。
【００６２】
例えば、ダイアモンドライクカーボンなどの耐磨耗材料を使用する場合、断熱層５１を形成後、物理蒸着によってダイアモンドライクカーボンなどの耐摩耗層７０を形成する。
【００６３】
例えば、上記した窒化処理やホウ化処理によって耐摩耗層７０を形成する場合、断熱層５１を形成後、断熱層５１の表面に、溶射により金属層（例えば、ＮｉやＣｏなどを主成分とする金属）を形成する。そして、金属層に窒化処理またはホウ化処理を施して、耐摩耗層７０を形成する。
【００６４】
耐摩耗層７０の厚さは、耐摩耗性を維持するため、例えば、０．１ｍｍ〜０．５ｍｍ程度であることが好ましい。耐摩耗層７０が接触する、ダイアフラム外輪２５の突出部４０や内部ケーシング２０の突条部３１のビッカース硬さが１５０〜２００ＨＶ程度であることから、耐摩耗層７０の硬さは、ビッカース硬さで２００ＨＶ以上であることが好ましい。
【００６５】
ここで、蒸気タービン１０の起動時および停止時には、ダイアフラム外輪２５と内部ケーシング２０との熱伸びの違いによって、断熱部材５０は、ダイアフラム外輪２５の突出部４０の下流側の端面４１または突条部３１の上流側の端面３２を摺動する。また、蒸気タービン１０の起動時における振動などによって、断熱部材５０は、ダイアフラム外輪２５の突出部４０の下流側の端面４１または突条部３１の上流側の端面３２を摺動する。このような摺動によって、断熱部材５０（断熱層５１）には、摩耗が生じることがある。
【００６６】
そこで、第３の実施の形態の蒸気タービン１２によれば、上記したように、断熱層５１の表面に耐摩耗層７０を備えることで、断熱部材５０が端面４１や端面３２を摺動する場合でも、断熱層５１の摩耗を防止することができる。これによって、耐摩耗性に優れた断熱部材５０を構成することができる。また、第１の実施の形態と同様に、ダイアフラム外輪２５から内部ケーシング２０へ向かう熱移動を抑制することができる。そのため、内部ケーシング２０の温度上昇を抑えることができる。
【００６７】
なお、第２の実施の形態における断熱層５３の表面に耐摩耗層７０を形成した場合においても、上記した作用効果と同様の作用効果を得ることができる。
【００６８】
（第４の実施の形態）
図６は、第４の実施の形態の蒸気タービン１３における、ダイアフラム外輪２５と内部ケーシング２０の一部の断面を拡大して示した図である。図７は、第４の実施の形態の蒸気タービン１３のダイアフラム外輪２５に形成された凹凸構造を説明するための、図６のＡ−Ａ断面を示す図である。
【００６９】
図６および図７に示すように、内部ケーシング２０の突条部３１の上流側の端面３２に接触する、ダイアフラム外輪２５の突出部４０の下流側の端面４１は、凹凸構造で構成されている。この凹凸構造としては、例えば、図７に示すように、端面４１に半径方向に亘って貫通するスリット状の溝部８０を周方向に複数備えた構成とすることができる。溝部８０が形成された部分を除く端面４１は、突条部３１の上流側の端面３２に接触する。
【００７０】
ここで、溝部８０が形成された部分を除く端面４１の面積は、溝部８０が形成されていない状態の端面４１の面積の１０〜５０％であることが好ましい。
【００７１】
溝部８０が形成された部分を除く端面４１の面積をこの範囲とすることで、端面４１と端面３２との接触面積が減少し、ダイアフラム外輪２５から内部ケーシング２０へ向かう熱移動を抑制することができる。また、溝部８０が形成された部分を除く端面４１の面積に割合が最大となる場合においても、蒸気タービン１０の運転時においてダイアフラム外輪２５が内部ケーシング２０に押し付けられる際に発生する圧縮荷重に十分に耐えることができる。
【００７２】
ここで、凹凸構造は、上記した構成に限られるものではなく、溝部８０が形成された部分を除く端面４１の面積を溝部８０が形成されていない状態の端面４１の面積の１０〜５０％とする構成であればよい。凹凸構造としては、例えば、端面４１と端面３２の接触面における面圧や摺動の方向などに応じて、適正な構造を選択することが可能である。
【００７３】
図８および図９は、第４の実施の形態の蒸気タービン１３のダイアフラム外輪２５に形成された他の構成の凹凸構造を説明するための、図６のＡ−Ａ断面を示す図である。
【００７４】
図８に示すように、例えば、端面４１に周方向に亘ってスリット状の溝部８０を半径方向に複数備えた構成としてもよい。また、図９に示すように、例えば、端面４１に、例えば、複数の円柱状の溝部８０を備えた構成としてもよい。
【００７５】
これらの場合においても、溝部８０が形成された部分を除く端面４１の面積は、溝部８０が形成されていない状態の端面４１の面積の１０〜５０％に設定される。
【００７６】
なお、ここでは、ダイアフラム外輪２５の突出部４０の下流側の端面４１に凹凸構造を備えた一例を示しているが、凹凸構造は、内部ケーシング２０の突条部３１の上流側の端面３２に形成されてもよい。
【００７７】
上記したように、第４の実施の形態の蒸気タービン１３によれば、ダイアフラム外輪２５の突出部４０の下流側の端面４１と内部ケーシング２０の突条部３１の上流側の端面３２との接触面積を減少させることで、ダイアフラム外輪２５から内部ケーシング２０へ向かう熱移動を抑制することができる。そのため、内部ケーシング２０の温度上昇を抑えることができる。
【００７８】
ここで、上記した溝部８０に、前述した断熱層５１、５３を構成する材料を充填してもよい。なお、この材料は、断熱充填材として機能する。このように、溝部８０に充填材を充填することで、ダイアフラム外輪２５から内部ケーシング２０へ向かう熱移動を抑制しつつ、蒸気タービン１０の運転時においてダイアフラム外輪２５が内部ケーシング２０に押し付けられる際の圧縮荷重に対する強度を向上させることができる。
【００７９】
以上説明した実施形態によれば、静翼を支持するダイアフラム外輪を介してケーシングに熱が伝わるのを抑制し、ケーシングの温度上昇を抑えることが可能となる。
【００８０】
なお、蒸気タービン１０としては、例えば、高温の蒸気が供給される、高圧タービンや中圧タービンなどが挙げられるが、これらに限られるものではない。ダイアフラム外輪２５から、このダイアフラム外輪２５に接触するケーシングへの熱移動を抑制することが必要な蒸気タービンに対して、本実施の形態の構成を適用することが可能である。また、本実施の形態では、二重構造のケーシングを備えた蒸気タービン１０を例示して説明したが、本実施の形態に係る構成は、一重構造のケーシングを備えた蒸気タービンに対しても適用することができる。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１０，１１，１２，１３…蒸気タービン、２０…内部ケーシング、２１…外部ケーシング、２２…動翼、２３…タービンロータ、２３ａ…ロータディスク、２４…ロータ軸受、２５…ダイアフラム外輪、２６…静翼、２７…ダイアフラム内輪、２８…ノズルボックス、２９…スリーブ管、３０…排気流路、３１…突条部、３２，４１…端面、３３…グランドラビリンス部、３４…主蒸気管、４０…突出部、５０…断熱部材、５１，５３…断熱層、５２…金属板、６０…フランジ部、７０…耐摩耗層、８０…溝部。
【図１】
2014001685.tif 000003
【図２】
2014001685.tif 000004
【図３】
2014001685.tif 000005
【図４】
2014001685.tif 000006
【図５】
2014001685.tif 000007
【図６】
2014001685.tif 000008
【図７】
2014001685.tif 000009
【図８】
2014001685.tif 000010
【図９】
2014001685.tif 000011